(57)【特許請求の範囲】
【請求項１】
四隅の柱の上下端を天井梁および床梁で連結して直方体状に形成された通常のフレームから柱が一本省略された大空間用フレームを有する複数の大空間用建物ユニットを備え、これらの大空間用建物ユニットの前記柱が省略された角隅部を寄せ合わせた状態で、前記複数の大空間用建物ユニットが配置され、前記柱が省略された前記角隅部を補強する補強梁が前記大空間用建物ユニットの天井梁の側面間に設けられたユニット式建物であって、
前記補強梁は、筒状に形成され、前記大空間用建物ユニットの天井梁の側面に近接する側面と、前記大空間用建物ユニットの角隅部に応じた位置に形成されて前記補強梁の長手方向に沿って延びるスリットとを有し、
前記スリット内部に、前記大空間用建物ユニットに接続される接続部材が挿通され、この接続部材が前記補強梁の両側面から突出していることを特徴とするユニット式建物。
【請求項２】
請求項１に記載のユニット式建物において、前記補強梁は、断面形状が細長い長方形状に形成されていることを特徴とするユニット式建物。
【請求項３】
請求項１または請求項２に記載のユニット式建物において、前記補強梁は、断面Ｃ字型に形成された一対の長尺材を、互いの凹部を対向させた状態で接合することにより形成されていることを特徴とするユニット式建物。
【請求項４】
請求項１または請求項２に記載のユニット式建物において、前記補強梁は、断面長方形状の一体成形された筒材から形成されていることを特徴とするユニット式建物。
【請求項５】
請求項１ないし請求項４のいずれかに記載のユニット式建物において、前記接続部材は、建物ユニット同士を連結する通常のシアプレートをそのまま流用したものであることを特徴とするユニット式建物。
【発明の詳細な説明】
【０００１】
【発明の属する技術分野】
本発明は、四本の柱のうちの一本が省略されたフレームを有する箱状の建物ユニットを複数備え、その内部に、柱のない大空間を形成するために補強梁が設けられたユニット式建物に関する。
【０００２】
【背景技術】
従来より、工場で製造した箱状の建物ユニットを、建築現場で複数組合わせて建築されるユニット式建物が利用されている。
ユニット式建物を形成する建物ユニットとしては、四隅の柱の上下端に天井梁および床梁で連結した直方体状のフレームを有するものが一般的である。
建物ユニットのフレームには、天井梁に支持される天井面材、床梁に支持される床面材および部屋を仕切る間仕切壁等の内装材や、軽量気泡コンクリート等で形成された外壁等が工場で組付けられる。
このようなユニット式建物によれば、工場において、建物ユニットに対して内装材や外壁材の組付作業まで工場で行い、後は、建物ユニットの接合作業を行うだけで、建物が完成するようになるので、建築現場での作業が大幅に削減され、建築工事を短期間で完了できるというメリットが得られる。
【０００３】
このようなユニット式建物では、その内部に、例えば広い居間等のような柱のない大空間を形成するために、建物ユニットのフレームに設けられた四本の柱のうちの一つを省略する場合がある。
この際、一の柱を省略すると、当該建物ユニットの剛性が低下し、上方に載置される建物ユニット等の荷重を支持しきれなくなる。このため、当該柱が省略された部分を挟んでその両側に配置される柱の間には、剛性を補うために、通常の２スパン分の長さを有する補強梁が設けられている（特開平８−２７７５８０号公報等参照）。
【０００４】
ところで、ユニット式建物を建築する際には、隣接した建物ユニット同士を連結する必要がある。建物ユニット同士の連結には、近接配置される角隅部の上面に突設された位置決めピンと、これらの位置決めピンに対応した孔が形成された一枚の金属板（以下、「シアプレート」という。）とが利用されている。
ここで、ユニット式建物の内部に柱のない大空間を形成する場合に、大空間用建物ユニット同士を連結するのにも、シアプレートを利用したいが、補強梁とシアプレートとが同じ空間を占有するので、両者を同時に設けることができず、大空間用建物ユニットの連結には、シアプレートの利用が困難である。
そこで、補強梁にその長手方向に沿って延びるスリットを設け、シアプレートと同様に、位置決め孔を有する板状の接続部材を、補強梁のスリットに挿入する、あるいは、補強梁の側面に接続部材を取付けることが考えられる。
このようにすれば、補強梁の両側に配置される建物ユニットの鉛直荷重が接続部材を介して補強梁に伝達されるようになる。
【０００５】
【発明が解決しようとする課題】
しかしながら、板状の補強梁を用いる構造では、接続部材の建物ユニットに接合される接合部分と補強梁の側面との間が離れてしまい、鉛直方向の荷重を伝えるためには、補強梁の側面と接続部材との間を補強する必要が生じる。
このため、補強梁および接続部材の接合部分の構造が複雑となるという問題がある。
【０００６】
本発明の目的は、補強梁の重量を増大することなく、補強梁の鉛直荷重に対する剛性が充分に確保されるとともに、接続部材と補強梁との接合部分の構造が簡素化されるユニット式建物を提供することにある。
【０００７】
【課題を解決するための手段】
本発明は、図面をも参照して説明すると、四隅の柱４１の上下端を天井梁４２および床梁４３で連結して直方体状に形成された通常のフレーム４０から柱５１が一本省略された大空間用フレーム５０を有する複数の大空間用建物ユニット２０Ｂを備え、これらの大空間用建物ユニット２０Ｂの前記柱５１が省略された角隅部２０Ｄを寄せ合わせた状態で、前記複数の大空間用建物ユニット２０Ｂが配置され、前記柱５１が省略された前記角隅部２０Ｄを補強する補強梁７０が前記大空間用建物ユニット２０Ｂの天井梁５２Ａの側面間に設けられたユニット式建物１０であって、前記補強梁７０は、筒状に形成され、前記大空間用建物ユニット２０Ｂの天井梁５２Ａの側面に近接する側面と、前記大空間用建物ユニット２０Ｂの角隅部２０Ｄに応じた位置に形成されて前記補強梁７０の長手方向に沿って延びるスリット７１Ｂとを有し、前記スリット７１Ｂ内部に、前記大空間用建物ユニット２０Ｂに接続される接続部材７２が挿通され、この接続部材７２が前記補強梁７０の両側面から突出していることを特徴とする。
このような本発明では、接続部材７２を補強梁７０の両側の側壁の二点で支持すれば、補強梁７０の側面が大空間用建物ユニット２０Ｂの天井梁５２Ａの側面に近接しているので、接合部材７２の大空間用建物ユニット２０Ｂに接合される接合部分と補強梁７０の側面との間の寸法が、板状の補強梁を用いた場合よりも小さくなる。これにより、補強梁７０と接合部材７２との接合部分を補強する必要がなくなり、当該接合部分の構造が簡素化されるようになる。また、補強梁７０の梁背および幅寸法を充分に確保しても、補強梁７０の内部が中空となっているので、補強梁７０の重量の増大が回避される。
また、このような接続部材７２を補強梁７０の両側面から突出して設けたので、隣接する大空間用建物ユニット２０Ｂ同士を接続部材７２で連結する連結構造として、通常の建物ユニット２０Ａ，３０Ａ同士を連結する連結構造と同一のものが採用可能となり、通常の建物ユニット２０Ａ，３０Ａの連結作業と同様に、大空間用建物ユニット２０Ｂの連結作業が容易に行えるようになる。
【０００８】
以上において、前記補強梁70は、断面形状が細長い長方形状に形成されていることが望ましい。
このような補強梁70の幅寸法Ｗを大空間用建物ユニット20B の間に形成される隙間に応じた寸法に設定すれば、補強梁70が大空間用建物ユニット20B 間の隙間に隙間なく挿入されるようになり、補強梁70の両側に配置される天井梁52A と補強梁70とが一体化され、剛性が高い大梁が形成され、上階からの鉛直荷重による天井梁52A の変形、いわゆる梁の転びが防止され、当該大空間用建物ユニット20B に設けられる天井や床が撓みにくくなる。
【０００９】
また、前記補強梁70，73A〜73Gとしては、断面Ｃ字型に形成された一対の長尺材74を、互いの凹部を対向させた状態で接合することにより形成されたもの、あるいは、断面長方形状の一体成形された筒材から形成されたものの両方が採用できる。
このような長尺の補強梁70，73A〜73Gを採用すれば、例えば、上階の床をパーチクルボードで形成するにあたり、補強梁70，73A〜73Gの両側に配置される床梁43A および補強梁70，73A〜73Gの三部材のすべてにパーチクルボードを打ち付けることにより、補強梁70，73A〜73Gおよび床梁43A の三部材がさらに一体化され、一体化された大梁の剛性をさらに向上できる。
【００１１】
さらに、前記接続部材72は、建物ユニット20A 同士を連結する通常のシアプレートをそのまま流用したものであることが望ましい。
このようにすれば、建物ユニット20A を連結する通常のシアプレートを接続部材72として利用可能なので、従来の建物ユニット20A，20Bの連結構造を何ら変更する必要がなくなるうえ、補強梁70専用の接続部材72を別途製造する必要がなくなり、建物ユニット20A，20Bおよび接続部材72の製造効率が損なわれない。
【００１２】
【発明の実施の形態】
以下、本発明の実施の一形態を図面に基づいて説明する。
図１には、本実施形態に係るユニット式建物10が示されている。このユニット式建物10は、基礎11の上に形成される建物本体12と、この建物本体12の上に形成される屋根13とを備えたものである。
このうち、建物本体12は、箱状に形成された建物ユニット20，30を複数組合わせて形成されたものである。
【００１３】
ユニット式建物10の一階部分には、下階建物ユニットである建物ユニット20A，20B が設けられている。
詳しくは、ユニット式建物10の一階部分は、図２に示されるように、建物本体12の外周縁に沿ってＬ字形状に配置された５個の建物ユニット20A と、当該建物ユニット20A が形成するＬ字の入隅部分に配置された４個の建物ユニット20B とで形成されている。
図１に戻って、ユニット式建物10の二階部分には、上階建物ユニットである建物ユニット30A が設けられている。
【００１４】
このうち、下階建物ユニット20A および上階建物ユニット30A は、図３に示されるように、四隅の柱41の上下端を連結する天井梁42および床梁43を有する直方体状のフレーム40を有する通常の建物ユニットである。
このうち、柱41、天井梁42および床梁43は、それぞれ接合部材44を介して連結されている。
なお、接合部材44としては、柱41の柱頭側に配置される柱頭接合部材44A および柱41の柱脚側に配置される柱脚接合部材44B が設けられている。
柱脚接合部材44B には、水平方向に隣接配置された建物ユニット20B の位置を決定するための位置決めピン54C が挿入される位置決め孔（図示省略）と、隣接配置された建物ユニット20B，30A同士を相互に連結するためのボルト・ナットからなる締結具81が挿通される挿通孔44C とが形成されている（図６参照）。
フレーム40の天井梁42としては、長さの異なる短辺天井梁42A および長辺天井梁42B の二種類が設けられ、フレーム40の床梁43としては、長さの異なる短辺床梁43A および長辺床梁43B の二種類が設けられている。
対向する長辺天井梁42B の間には、図示しない、天井面材を支持するために天井小梁が架け渡され、また、対向する長辺床梁43B の間には、図示しない、床を形成するパーチクルボード等の床面材を支持するために複数の根太が架け渡されている。
【００１５】
一方、図２において、一点鎖線のハッチングで示される４個の大空間用建物ユニット20B は、図４に示されるように、各々の一つの角隅部20D 同士が寄せ合わされた状態で隣接配置されている。
建物ユニット20B は、通常の下階建物ユニット20A のフレーム40から柱51が一本省略され、つまり、寄せ合わされた角隅部20D の柱51が省略され、三本の柱51を有する略直方体状の大空間用フレーム50を備えた大空間用建物ユニットとなっている。
これにより、４個の建物ユニット20B の中心部分には、天井と床との間に柱51等の突出物が何ら存在しない広い大空間60が形成される。
大空間用建物ユニット20B の柱51、天井梁52および床梁53は、それぞれ接合部材54を介して連結されている。
なお、接合部材54としては、柱51の柱頭側に配置される柱頭接合部材54A および柱51の柱脚側に配置される柱脚接合部材54B が設けられている。
柱頭接合部材54A には、水平方向に隣接配置された建物ユニット20B の位置を決定するための位置決めピン54C と、隣接配置された建物ユニット20B，30A同士を相互に連結するためのボルト・ナットからなる締結具81が挿通される挿通孔54D とが形成されている（図６参照）。
【００１６】
また、建物ユニット20B の柱51、天井梁52および床梁53は、建物ユニット20A,，30A と同様に、それぞれ接合部材54を介して連結されている。
大空間用フレーム50の天井梁52としては、長さの異なる短辺天井梁52A および長辺天井梁52B の二種類が設けられ、大空間用フレーム50の床梁53としては、長さの異なる短辺床梁53A および長辺床梁53B の二種類が設けられている。
このような柱51が省略され、かつ、寄せ合わされた角隅部20D を間においたその両側の角隅部20C に配置される柱51の間には、剛性を補うために補強梁70が架け渡されている。
【００１７】
補強梁70は、大空間用建物ユニット20B の柱51が省略された天井梁52A を補強するためのものであり、当該大空間用建物ユニット20B の短辺方向に沿って延びる筒状部材である。この補強梁70は、角隅部20D の両側の角隅部20C に配置される柱51を連結する長さ寸法を有する長尺の部材となっている。
【００１８】
補強梁70は、図５に示されるように、断面が細長い長方形状に形成されるとともに、継目のない長尺部材で一体成形されている。
補強梁70の下端側には、空調機等の配管を挿通するための挿通孔71A が所定の間隔をあけて複数形成されている。
また、補強梁70には、当該補強梁70の長手方向に沿って水平に延びるスリット71B が複数設けられている。これらのスリット71B は、大空間用建物ユニット20B の角隅部20D およびこの角隅部20D の両側の角隅部20C に対応した位置にそれぞれ形成されている。
各スリット71B には、接続部材72が挿通されるようになっている。
【００１９】
補強梁70の梁背Ｈは、図７に示されるように、上階建物ユニット30A の床梁43A の上面から大空間用建物ユニット20B の天井梁52A の下面までの間に納まる寸法となっている。
ここで、補強梁70は、その上面が床梁43A の上面から上方へ突出せず、その下面が天井梁52A から下方へ突出しないので、床梁43A の上面に載置される床面材は、他の建物ユニット30A の床面材と同一高さレベルとなっているとともに、天井梁52A の下面に設けられる天井面材は、他の建物ユニット20A の天井面材と同一高さレベルとなっている。
また、補強梁70の幅寸法Ｗは、隣接する大空間用建物ユニット20B の間に形成される隙間とほぼ同一となっている。
これにより、補強梁70の側面は、隣接する大空間用建物ユニット20B の天井梁52A の側面と当接している。
【００２０】
図５に戻って、接続部材72は、平板材から形成されたものである。接続部材72は、スリット71B に挿通され、かつ、補強梁70の両側面から突出している。この接続部材72は、補強梁70の両側の側壁の二点で支持されている。
接続部材72は、補強梁70に対して当該補強梁70の幅方向に移動可能となっている。
接続部材72には、図６に示されるように、大空間用建物ユニット20B の柱頭接合部材54A の上面に設けられた複数の位置決めピン54C が挿通される複数の位置決め孔72A と、大空間用建物ユニット20B およびこの大空間用建物ユニット20B の上に載置される上階建物ユニット30A とを相互に連結する締結具81を挿通するための挿通孔72B とが形成されている。
ここで、接続部材72は、下階建物ユニット20A および上階建物ユニット30A を相互に連結する通常のシアプレートとなっている。この接続部材72の厚さ寸法は、通常のシアプレートの厚さ寸法と同一となっている。
【００２１】
このような隣接配置された大空間用建物ユニット20B の四本の天井梁52A は、隣接配置された上階建物ユニット30A の四本の床梁43A とともに、上階建物ユニット30A 側から、上階建物ユニット30A の柱脚接合部材44B 、接続部材72、大空間用建物ユニット20B の柱頭接合部材54A を貫通する締結具81により、相互に連結されている。
特に、四本の天井梁52A の寄せ集められた部分は、補強梁70の中央部分、すなわち、角隅部20D の上方部分において、四つの締結具81で接合され、強固に一体化されている。
なお、建物ユニット20B の角隅部20D には、輸送治具である仮柱80が着脱可能に設けられ、輸送時においては、床梁53A，53Bの連結部分である柱脚接合部材54B と、天井梁52A，52Bの連結部分である柱頭接合部材54A とが連結されるようになっている。
【００２２】
次に、柱51等の突出物が何ら存在しない広い大空間60の形成手順を説明する。まず、工場で建物ユニット20，30および補強梁70を製作した後、建築現場に搬送する。建物ユニット20，30および補強梁70の製作の際、搬送時の建物ユニット20B の変形を防止するために、角隅部20D に仮柱80を設けておく。
そして、これらの建物ユニット20B を、図８に示されるように、平面視で隣接配置し、隣接する短辺天井梁52A の間に形成される隙間に補強梁70を挿入する。
【００２３】
この際、角隅部20D および角隅部20D の両側の角隅部20C において、図６に示したように、隣接配置された大空間用建物ユニット20B の位置決めピン54C を接続部材72の位置決め孔72A に挿入することにより、当該大空間用建物ユニット20B を位置決めする。
【００２４】
その後、図９に示されるように、上階建物ユニット30A を大空間用建物ユニット20B の上に載置する。
これにより、隣接する短辺床梁43A の間には、補強梁70が配置される。
そして、上階建物ユニット30A および大空間用建物ユニット20B を締結具81で連結することにより、上階建物ユニット30A 、大空間用建物ユニット20B および補強梁72を一体化させる。この後、仮柱80を取外すと、天井および床との間に柱51等の突出物が何ら存在しない広い大空間60が形成される。
【００２５】
このような本実施形態によれば、次のような効果がある。
すなわち、接続部材72を補強梁70の両側の側壁の二点で支持し、補強梁70の側面を大空間用建物ユニット20B の天井梁52A の側面に当接させているので、接合部材72の大空間用建物ユニット20B に接合される接合部分と補強梁70の側面との間の寸法が、板状の補強梁を用いた場合よりも小さくなる。
これにより、補強梁70と接合部材72との接合部分を補強する必要がなくなり、当該接合部分の構造を簡素化できる。
また、筒状の補強梁70の梁背および幅寸法を充分に確保しても、補強梁70の内部が中空となっているので、補強梁70の重量の増大を回避できる。
【００２６】
また、補強梁70の幅寸法Ｗを大空間用建物ユニット20B の間の隙間とほぼ同一寸法にしたので、補強梁70が大空間用建物ユニット20B 間の隙間に隙間なく挿入されるようになり、補強梁70の両側に配置される天井梁52A と補強梁70とが一体化され、剛性が高い大梁が形成され、上階からの鉛直荷重による天井梁52A の変形、いわゆる梁の転びが防止され、当該大空間用建物ユニット20B に設けられる天井や床が撓みにくくなる。
【００２７】
さらに、一体成形された長尺の補強梁70としたので、上階の床をパーチクルボードで形成するにあたり、補強梁70の両側に配置される床梁43A および補強梁70の三部材のすべてにパーチクルボードを打ち付けることにより、補強梁70および床梁43A の三部材がさらに一体化され、一体化された大梁の剛性をさらに向上できる。
【００２８】
また、接続部材72を補強梁70の両側面から突出した状態で設けたので、隣接する大空間用建物ユニット20B 同士を接続部材72で連結する連結構造として、通常の建物ユニット20A，30A同士を連結する連結構造と同一のものが採用可能となり、通常の建物ユニット20A，30Aの連結作業と同様に、大空間用建物ユニット20B の連結作業が容易に行うことができる。
【００２９】
さらに、建物ユニット20A を連結する通常のシアプレートを接続部材72として利用可能なので、従来の建物ユニット20A，20Bの連結構造を何ら変更する必要がなくなるうえ、補強梁70専用の接続部材72を別途製造する必要がなくなり、建物ユニット20A，20Bおよび接続部材72の製造効率が損なわれない。
【００３０】
なお、本発明は前記実施形態に限定されるものではなく、本発明の目的を達成できる他の構成等を含み、以下に示すような変形などを含むものである。
すなわち、補強梁としては、継目のない長尺部材で一体成形されたものに限らず、断面Ｃ字型に形成された一対の長尺材を、互いの凹部を対向させた状態で接合する接合型のものでもよい。
この際、接合型の補強梁としては、図１０に示されるように、例えば、Ｃ字型に形成された長尺材74の端部同士を接合した補強梁73A 、長尺材74同士を互い違いに配置した状態で接合した補強梁73B 、長尺材74と長尺材74よりも大きさが一回り小さい長尺材75とを互い違いに配置した状態で接合した補強梁73C 、長尺材74の端部同士を突き合わせた状態で、ジョイント材76を介して接合された補強梁73D が採用できる。
ジョイント材76の配置位置は、任意であり、例えば、図１０（Ｄ）〜（Ｇ）に示されるように、長尺材74の上面および下面、長尺材74の対向する内周面、長尺材74の上面および下面側内周面、長尺材74の下面および上面側内周面であってもよい。
【００３１】
また、補強梁としては、一つの角隅部20D 同士が寄せ合わされた状態で隣接配置された四つの大空間用建物ユニット20B を補強するものに限らず、図１１に示されるように、長辺側が接するように配置されるとともに、短辺側に建物ユニット20E が配置された二つの大空間用建物ユニット20B を補強するものでもよい。さらに、接続部材としては、スリットに挿通され、補強梁に当該補強梁に対して水平方向に移動可能に設けられたものに限らず、スリットに挿入された状態で補強梁に溶接により固定されるものでもよく、補強梁の側面に固定されたスチフナに支持されるものでもよい。
【００３２】
また、接続部材としては、一枚の金属板から形成され、補強梁70の両側に配置される大空間用建物ユニット20B の柱頭部のそれぞれに接続される接続部が一体化されたものに限らず、図１２に示されるように、補強梁70の両側に配置される大空間用建物ユニット20B の天井梁52A に接続部が左右別個に設けられた接合部材72C でもよい。
左右別個に設けられた接合部材72C を採用する場合、当該接合部材72C は、図１３に示されるように、一端が補強梁70の片側の側壁を貫通し、他端が補強梁70の内側面に設けられた係止部材77の溝部77A に嵌め込まれていることが望ましい。
【００３３】
【発明の効果】
本発明のユニット式建物によれば、次のような効果が得られる。すなわち、請求項１に記載のユニット式建物によれば、接続部材を補強梁の両側の側壁の二点で支持すると、補強梁の側面が大空間用建物ユニットの天井梁の側面に近接しているので、接合部材の大空間用建物ユニットに接合される接合部分と補強梁の側面との間の寸法が、板状の補強梁を用いた場合よりも小さくなる。これにより、補強梁と接合部材との接合部分を補強する必要がなくなり、当該接合部分の構造を簡素化できる。また、補強梁の梁背および幅寸法を充分に確保しても、補強梁の内部が中空となっているので、補強梁の重量の増大を回避できる。
また、このような接続部材を補強梁の両側面から突出して設けたので、隣接する大空間用建物ユニット同士を接続部材で連結する連結構造として、通常の建物ユニット同士を連結する連結構造と同一のものが採用可能となり、通常の建物ユニットの連結作業と同様に、大空間用建物ユニットの連結作業を容易に行うことができる。
【００３４】
また、請求項２に記載のユニット式建物によれば、このような補強梁の幅寸法を大空間用建物ユニットの間に形成される隙間に応じた寸法に設定すれば、補強梁が大空間用建物ユニット間の隙間に隙間なく挿入されるようになり、補強梁の両側に配置される天井梁と補強梁とが一体化され、剛性が高い大梁が形成され、上階からの鉛直荷重による天井梁の変形、いわゆる梁の転びが防止され、当該大空間用建物ユニットに設けられる天井や床が撓みにくくなる。
【００３５】
さらに、請求項３に記載のユニット式建物によれば、このような長尺の補強梁を採用すれば、例えば、上階の床をパーチクルボードで形成するにあたり、補強梁の両側に配置される床梁および補強梁の三部材のすべてにパーチクルボードを打ち付けることにより、補強梁および床梁の三部材がさらに一体化され、一体化された大梁の剛性をさらに向上できる。
【００３６】
また、請求項４に記載のユニット式建物によれば、このような長尺の補強梁を採用すれば、例えば、上階の床をパーチクルボードで形成するにあたり、補強梁の両側に配置される床梁および補強梁の三部材のすべてにパーチクルボードを打ち付けることにより、補強梁および床梁の三部材がさらに一体化され、一体化された大梁の剛性をさらに向上できる。
【００３８】
また、請求項６に記載のユニット式建物によれば、建物ユニットを連結する通常のシアプレートを接続部材として利用可能なので、従来の建物ユニットの連結構造を何ら変更する必要がなくなるうえ、補強梁専用の接続部材を別途製造する必要がなくなり、建物ユニットおよび接続部材の製造効率が損なわれない。
【図面の簡単な説明】
【図１】本発明の一実施形態に係るユニット式建物を示す全体斜視図である。
【図２】前記実施形態に係る一階部分の概略平面図である。
【図３】前記実施形態に係る建物ユニットのフレームを示す斜視図である。
【図４】前記実施形態に係る大空間用建物ユニットを示す分解斜視図である。
【図５】前期実施形態に係る補強梁を示す分解斜視図である。
【図６】前記実施形態に係る建物ユニットの接合部分を示す分解斜視図である。
【図７】前記実施形態に係る建物ユニットの接合部分を示す断面図である。
【図８】前記実施形態に係る大空間用建物ユニットの設置方法を説明するための図である。
【図９】前記実施形態に係る建物ユニットの接合方法を説明するための図である。
【図１０】本発明の変形例を示す断面図である。
【図１１】本発明の他の変形例を示す概略平面図である。
【図１２】本発明のさらに異なる変形例を示す平面図である。
【図１３】図１２に示す変形例の要部を示す立面図である。
【符号の説明】
10  ユニット式建物
20A，30A  建物ユニット
20B   大空間用建物ユニット
40  フレーム
41  柱
42  天井梁
43  床梁
50  大空間用フレーム
51  柱
52  天井梁
53  床梁
70，73A〜73G  補強梁
71B スリット
72  接続部材
【図１】
0004527852.tif 000002
【図２】
0004527852.tif 000003
【図３】
0004527852.tif 000004
【図４】
0004527852.tif 000005
【図５】
0004527852.tif 000006
【図６】
0004527852.tif 000007
【図７】
0004527852.tif 000008
【図８】
0004527852.tif 000009
【図９】
0004527852.tif 000010
【図１０】
0004527852.tif 000011
【図１１】
0004527852.tif 000012
【図１２】
0004527852.tif 000013
【図１３】
0004527852.tif 000014